(57)【要約】【課題】追加部品を用いることなく、雌型端子金具の挿入途中で操作フィーリングに変化を与えて、操作フィーリングの変化から作業者に挿入状況を認識させて作業の遂行を意識させることができ、構成部品や組立工程の増加を招かずに雌型端子金具の不完全挿入の発生を抑止することができるコネクタを提供すること。【解決手段】コネクタハウジング２１内のランス２３の先端とランス２３の延出方向の先方に位置するハウジング前端２１ａとを連結し、ランス２３の撓み変位に伴って、ランス撓み空間２４側に撓み変位する可撓性バンド部２６と、可撓性バンド部２６の撓み変位によってランス撓み空間２４の対向面２４ａに当接して、両端支持梁としてのランス２３の一方の支持位置をハウジング前端２１ａから対向面２４ａとの当接位置Ｔ１に切り替える梁長さ切替部２７と、を備える。【選択図】図５
2012084405.tif 000002
【特許請求の範囲】
【請求項１】
雌型端子金具と、該雌型端子金具を収容保持するコネクタハウジングと、を備え、
前記コネクタハウジングは、前記雌型端子金具が挿入される端子収容孔と、該端子収容孔に沿って延出する弾性片の先端に前記端子収容孔に突出する係止突起を備えて前記端子収容孔への前記端子金具の挿入に伴い前記係止突起が前記端子収容孔の外に逃げるように撓み変位した後に前記端子金具が正規位置まで挿入されたときに撓み変位が戻って前記係止突起により前記端子金具を抜け止め状態とするランスと、前記ランスの撓み変位を許容するランス撓み空間と、を備え、
前記雌型端子金具は、コネクタハウジング内の前記ランスが係合するランス係止部を備えるコネクタであって、
前記ランスの先端と前記弾性片の延出方向の先方に位置する前記コネクタハウジングの一端部とを連結し、前記ランスの撓み変位に伴って、前記ランス撓み空間側に撓み変位する可撓性バンド部と、
前記可撓性バンド部上に設けられ、前記可撓性バンド部の撓み変位方向に対向する前記ランス撓み空間の対向面に前記雌型端子金具の挿入途中で当接して、前記ランスの両端支持梁としての片側の支持位置を、前記可撓性バンド部の一端とコネクタハウジングとの連結部である前記コネクタハウジングの一端部から前記ランス撓み空間の対向面上の当接位置に切り替える梁長さ切替部と、
を備えたことを特徴とするコネクタ。
【発明の詳細な説明】
【技術分野】
【０００１】
本発明は、コネクタハウジングの端子収容孔に装着された雌型端子金具が、コネクタハウジング内のランスによって抜け止めされる形式のコネクタに関する。
【背景技術】
【０００２】
図８は、コネクタハウジングの端子収容孔に装着された雌型端子金具が、コネクタハウジング内のランスによって抜け止めされる形式のコネクタの従来例を示したものである。
【０００３】
このコネクタ１０１は、下記特許文献１に開示されたものである。
このコネクタ１０１は、雌型端子金具１１０と、該雌型端子金具１１０を収容保持するコネクタハウジング１２０と、を備える。
【０００４】
雌型端子金具１１０は、不図示の雄型端子金具が嵌合接続される略角筒状の箱部１１１と、箱部１１１の後部に形成されてコネクタハウジング１２０内のランス１２１が係合するランス係止部１１２と、電線１３０が接続される電線接続部１１３と、を備える。
【０００５】
コネクタハウジング１２０は、雌型端子金具１１０が挿入される端子収容孔１２２と、ランス１２１と、ランス撓み空間１２３とを備える。
【０００６】
ランス１２１は、前記端子収容孔１２２に沿って延出する弾性片１２１ａの先端に、端子収容孔１２２に突出する係止突起１２１ｂを備えている。このランス１２１は、端子収容孔１２２への雌型端子金具１１０の挿入に伴い係止突起１２１ｂが端子収容孔１２２の外に逃げるように撓み変位する。また、その後に、雌型端子金具１１０が正規位置まで挿入されたときに、撓み変位が戻って、係止突起１２１ｂにより雌型端子金具１１０を抜け止め状態とする。
【０００７】
ランス撓み空間１２３は、ランスの外側に配備されていて、ランス１２１の撓み変位を許容する。
【０００８】
このようなコネクタ１０１では、雌型端子金具１１０の不完全挿入（中途挿入）状態が見落とされることのないように、雌型端子金具１１０の固定構造に工夫が要求される。
【０００９】
そこで、特許文献１のコネクタ１０１の場合、雌型端子金具１１０をランス１２１により抜け止めするだけでなく、雌型端子金具１１０の後部を係止する二重係止部材１４０、該二重係止部材１４０を押さえる押さえ部材１５０を追加している。
【００１０】
二重係止部材１４０は、コネクタハウジング１２０や雌型端子金具１１０とは別体の部材で、コネクタハウジング１２０の後部側に、上下（図の矢印Ｙ１方向）に移動可能に取り付けられる。
【００１１】
二重係止部材１４０は、図示の位置から下方に移動すると、その前端下部に形成された係止部１４１が、雌型端子金具１１０に形成された二重係止用段差１１５に係合して、雌型端子金具１１０の抜け方向の移動を規制する。
【００１２】
また、二重係止部材１４０は、雌型端子金具１１０が不完全挿入状態にある場合には、二重係止用段差１１５の上面部と干渉して、二重係止用段差１１５と係合する正規の二重係止位置に移動することができない。そのため、二重係止部材１４０を二重係止位置に移動できるか否かによって、雌型端子金具１１０の不完全挿入の検知が可能になっている。
【００１３】
押さえ部材１５０は、コネクタハウジング１２０の後端に薄肉ヒンジ部１６０を介して連結されている。この押さえ部材１５０は、薄肉ヒンジ部１６０による回動により、コネクタハウジング１２０の後端に開閉可能に連結されていて、図示のように、閉じた状態の時には、二重係止部材１４０の外側を覆って、二重係止部材１４０を押さえる。
【先行技術文献】
【特許文献】
【００１４】
【特許文献１】特開平６−３２５８１４号公報
【発明の概要】
【発明が解決しようとする課題】
【００１５】
ところが、特許文献１のコネクタ１０１では、二重係止部材１４０が二重係止位置に移動できるか否かによって、雌型端子金具１１０の不完全挿入状態の発生を検知することができるが、二重係止部材１４０や押さえ部材１５０などの追加によって構成部品や組立工程が増加するという問題が生じた。
【００１６】
また、特許文献１のコネクタ１０１では、雌型端子金具１１０の挿入途中においてランス１２１の撓み変形量等を操作フィーリングとして作業者に伝達するような特別な配慮はない。そのため，作業者は、雌型端子金具１１０の挿入作業時に、雌型端子金具１１０の挿入状況を操作フィーリングから推定することが困難で、不完全挿入の発生自体を抑制することができないという問題があった。
【００１７】
そこで、本発明の目的は、上記課題を解消することに係り、追加部品を用いることなく、雌型端子金具の挿入途中で操作フィーリングに変化を与えて、操作フィーリングから作業者に挿入状況を認識させて作業の遂行を意識させることができ、構成部品や組立工程の増加を招かずに雌型端子金具の不完全挿入の発生を抑止することができるコネクタを提供することにある。
【課題を解決するための手段】
【００１８】
本発明の前述した目的は、下記の構成により達成される。
（１）雌型端子金具と、該雌型端子金具を収容保持するコネクタハウジングと、を備え、
前記コネクタハウジングは、前記雌型端子金具が挿入される端子収容孔と、該端子収容孔に沿って延出する弾性片の先端に前記端子収容孔に突出する係止突起を備えて前記端子収容孔への前記端子金具の挿入に伴い前記係止突起が前記端子収容孔の外に逃げるように撓み変位した後に前記端子金具が正規位置まで挿入されたときに撓み変位が戻って前記係止突起により前記端子金具を抜け止め状態とするランスと、前記ランスの撓み変位を許容するランス撓み空間と、を備え、
前記雌型端子金具は、コネクタハウジング内の前記ランスが係合するランス係止部を備えるコネクタであって、
前記ランスの先端と前記弾性片の延出方向の先方に位置する前記コネクタハウジングの一端部とを連結し、前記ランスの撓み変位に伴って、前記ランス撓み空間側に撓み変位する可撓性バンド部と、
前記可撓性バンド部上に設けられ、前記可撓性バンド部の撓み変位方向に対向する前記ランス撓み空間の対向面に前記雌型端子金具の挿入途中で当接して、前記ランスの両端支持梁としての片側の支持位置を、前記可撓性バンド部の一端とコネクタハウジングとの連結部である前記コネクタハウジングの一端部から前記ランス撓み空間の対向面上の当接位置に切り替える梁長さ切替部と、
を備えたことを特徴とするコネクタ。
【００１９】
上記（１）の構成によれば、雌型端子金具の挿入開始時におけるランスは、弾性片の基端側と可撓性バンド部の一端が連結されたコネクタハウジングの一端部との２箇所でコネクタハウジングに固定されていて、両端支持梁としての支持状態となっている。
【００２０】
そして、雌型端子金具の挿入途中では、雌型端子金具の挿入に伴い、係止突起側がランス撓み空間側に撓み変位する。そして、係止突起側の撓み変位に伴い、可撓性バンド部もランス撓み空間側に撓み変位する。そして、雌型端子金具の挿入が進んで、可撓性バンド部の撓み変位が規定値に達すると、可撓性バンド部上の梁長さ切替部がランス撓み空間の対向面に当接して、可撓性バンド部の撓み変位を規制する。
【００２１】
この状態では、ランスは、弾性片の基端側と梁長さ切替部との２箇所を支持点とする両端支持梁となり、梁の長さが短縮されたことで、撓み変位させる際の弾性係数が大きく変化し、操作フィーリングに変化を与える。
【００２２】
そのため、操作フィーリングの変化から雌型端子金具が一定の挿入長に達したという挿入状況を作業者に認識させて、作業者にその後の作業の遂行を意識させて、雌型端子金具の不完全挿入の発生を抑止することができる。
【００２３】
しかも、可撓性バンド部及び梁長さ切替部は、コネクタハウジング内に一体形成した部位であり、コネクタハウジングに組み付ける追加部品は不要である。
【００２４】
従って、追加部品を用いることなく、雌型端子金具の挿入途中で発生する操作フィーリングの変化から作業者に挿入状況を認識させて作業の遂行を意識させることができ、構成部品や組立工程の増加を招かずに雌型端子金具の不完全挿入の発生を抑止することができる。
【発明の効果】
【００２５】
本発明による雌型端子金具によれば、雌型端子金具の挿入途中で、コネクタハウジング内に一体形成されている可撓性バンド部及び梁長さ切替部が、ランスの両端支持梁としての支持位置を切り替えて、雌型端子金具の挿入操作時の操作フィーリングに変化を与え、コネクタハウジングに組み付け作業が必要となる追加部品を用いることなく、操作フィーリングの変化から作業者に挿入状況を認識させて作業の遂行を意識させて、雌型端子金具の不完全挿入の発生を抑止させることができる。
【００２６】
従って、構成部品や組立工程の増加を招かずに雌型端子金具の不完全挿入の発生を抑止することができる。
【図面の簡単な説明】
【００２７】
【図１】本発明に係る雌型端子金具及びコネクタハウジングの一実施形態の分解斜視図である。
【図２】図１に示した雌型端子金具及びコネクタハウジングの側面図である。
【図３】図２に示したコネクタハウジングの全体構造を示す縦断面図である。
【図４】図３に示したコネクタハウジングに雌型端子金具が挿入途中の状態を示す縦断面図である。
【図５】図４のＡ部の拡大図である。
【図６】図５のＢ部の拡大図である。
【図７】図４の状態から雌型端子金具の挿入が進んで、雌型端子金具が完全挿入状態となったときのコネクタの縦断面図である。
【図８】従来のコネクタの縦断面図である。
【発明を実施するための形態】
【００２８】
以下、本発明に係るコネクタの好適な実施形態について、図面を参照して詳細に説明する。
【００２９】
図１〜図７は本発明に係るコネクタの一実施形態を示したもので、図１は本発明に係る雌型端子金具及びコネクタハウジングの一実施形態の分解斜視図、図２は図１に示した雌型端子金具及びコネクタハウジングの側面図、図３は図２に示したコネクタハウジングの全体構造を示す縦断面図、図４は図３に示したコネクタハウジングに雌型端子金具が挿入途中の状態を示す縦断面図、図５は図４のＡ部の拡大図、図６は図５のＢ部の拡大図、図７は図４の状態から雌型端子金具の挿入が進んで、雌型端子金具が完全挿入状態となったときのコネクタの縦断面図である。
【００３０】
この一実施形態のコネクタ１は、図１〜図３に示すように、雌型端子金具１１と、該雌型端子金具１１を収容保持するコネクタハウジング２１とを備える。コネクタハウジング２１に装着された雌型端子金具１１は、コネクタハウジング２１内のランス２３によって抜け止めされる。
【００３１】
雌型端子金具１１は、図１及び図２及び図６及び図７に示すように、箱部４１と、ランス係止部５１と、ばね支持板部５４と、端子付勢板ばね６１と、電線接続部７１と、を備えている。雌型端子金具１１は、一枚の金属板から、折り曲げ形成される。
【００３２】
次に、雌型端子金具１１の各部位の構成について説明する。
箱部４１は、内部に雄型端子金具が挿入される部位で、図１及び図７に示すように、底板部４２と、該底板部４２の両側縁から立ち上がる両側壁部４３，４４と、両側壁部４３，４４の上端を連絡する天井板部４５と、を備える角筒状に形成される。
【００３３】
底板部４２には、雄型端子金具との接触部４２ａが、隆起形成されている。接触部４２ａは、雄型端子金具の挿入方向（図７の矢印Ｘ２方向）に延在して形成されている。
【００３４】
天井板部４５は、一方の側壁部４３の上縁に連なる部位を、側壁部４３に対して直角に折り曲げることにより形成される。
【００３５】
この天井板部４５の後部に、ランス係止部５１が形成される。
ランス係止部５１は、コネクタハウジング２１内のランス２３が係合する部位で、図１及び図２に示すように、上方に凸の湾曲成形５１ａを付与することで、強度の向上が図られている。
【００３６】
ばね支持板部５４は、他方の側壁部４４の後端側上縁に連なる部位を、側壁部４４に対して直角に折り曲げることにより形成される。
【００３７】
ばね支持板部５４は、図６に示すように、後端部５４ａが天井板部４５の後端部（ランス係止部５１の後端部）よりも内側に寸法Ｃだけ引っ込んだ配置で、天井板部４５の内面に積層するように成形される。
【００３８】
端子付勢板ばね６１は、箱部４１に挿入された不図示の雄型端子金具を底板部４２に押圧して前記雄型端子金具を底板部４２に接触した状態に保つように、箱部４１を形成する板部の１つであるばね支持板部５４に一体形成される
【００３９】
端子付勢板ばね６１は、図７に示すように、ばね支持板部５４から底板部４２の前端側に延出して形成され。端子付勢板ばね６１の前端６１ａは、底板部４２の接触部４２ａと対向する位置に配置され、雄型端子金具を接触部４２ａに密着させる。
【００４０】
端子付勢板ばね６１の前端６１ａは、挿入された雄型端子金具が引っかからないように、且つ、雄型端子金具との摺動抵抗が小さくなるように、下方側に凸の湾曲形状に成形されている。
【００４１】
電線接続部７１は、電線を圧着接続する部位で、箱部４１の後方に延出して形成される。この電線接続部７１は、図１に示すように、被覆電線５の被覆部５ａに加締め付けられる被覆固定片７２と、被覆電線５の導体部５ｂに加締め着けられる電線圧着片７３と、を備えている。
【００４２】
次に、上記の雌型端子金具１１が装着されるコネクタハウジング２１の構成を、図３〜図７に基づいて説明する。
【００４３】
コネクタハウジング２１は、雌型端子金具１１が挿入される端子収容孔２２と、ランス２３と、ランス撓み空間２４と、可撓性バンド部２６と、梁長さ切替部２７と、を備える。
【００４４】
本実施形態のコネクタハウジング２１の場合、端子収容孔２２は、図３に示すように、上下方向に２段に配列されている。また、コネクタハウジング２１の後端（基端）に開放する端子収容孔２２の後端側２２ａは、雌型端子金具１１の挿入口となるため、前端側よりも広口に開口している。
【００４５】
更に、端子収容孔２２の先端部には、不図示の雄型の端子金具の先端部が挿通される端子挿通口２２ｂと、不図示の半挿入検知用治具の導通ピンが挿通される導通ピン挿通口２２ｃと、が形成されている。
【００４６】
ランス２３は、雌型端子金具１１の挿入方向（図１の矢印Ｘ１方向）に沿ってコネクタハウジング２１の基端側から延出した弾性片２３ｂと、端子収容孔２２に突出するように弾性片２３ｂの先端側に突設された係止突起２３ａと、を備えた構成である。
【００４７】
このランス２３は、図４に示すように、端子収容孔２２への雌型端子金具１１の挿入に伴い係止突起２３ａが端子収容孔２２の外に逃げるようにランス撓み空間２４側に撓み変位して、雌型端子金具１１の挿入を許容する。そして、雌型端子金具１１が正規位置まで挿入されたときには、図７に示すように、係止突起２３ａがランス係止部５１に係合することで撓み変位が戻って、係止突起２３ａにより雌型端子金具１１を抜け止め状態とする。
【００４８】
ランス撓み空間２４は、端子収容孔２２の外側に並走状態に形成されていて、雌型端子金具１１の挿入に伴うランス２３の撓み変位を許容する。
【００４９】
可撓性バンド部２６は、図１及び図２に示すように、ランス２３（係止突起２３ａ）の先端と、弾性片２３ｂの延出方向の先方に位置するコネクタハウジング２１の一端部であるハウジング前端２１ａとを連結し、ランス２３を両端支持梁（両持ち梁）としての支持構造にする。この可撓性バンド部２６は、図４〜図６に示したように、雌型端子金具１１の挿入時には、ランス２３の撓み変位に伴って、ランス撓み空間２４側に撓み変位する。
【００５０】
梁長さ切替部２７は、可撓性バンド部２６上に設けられ、図５及び図６に示すように、雌型端子金具１１の挿入途中で、可撓性バンド部２６の撓み変位方向（図６の矢印Ｙ２方向）に対向するランス撓み空間２４の対向面（上壁面）２４ａに、当接する。本実施形態の場合、梁長さ切替部２７は、台形状の突起である。
【００５１】
図５及び図６に示したように、梁長さ切替部２７が対向面２４ａに当接すると、ランス２３の両端支持梁としての片側（図５では、右端側）の支持位置が、ハウジング前端２１ａ（可撓性バンド部２６の一端とコネクタハウジング２１との連結部）から、ランス撓み空間２４の対向面２４ａ上の当接位置Ｔ１に切り替わる。
【００５２】
この支持位置に切り替わりによって、ランス２３を含む両端支持梁は、図５に示すように、梁の長さが、Ｌ１からＬ２に短縮された状態になる。
【００５３】
また、本実施形態の場合、梁長さ切替部２７が最初に対向面２４ａに当接した時点では、図６に示すように、ランス２３の最下部は、ランス係止部５１の上端部よりも寸法ｄだけ下がった位置になる。
【００５４】
雌型端子金具１１の挿入によって、ランス２３がランス撓み空間２４側に撓み変位し、それに伴う可撓性バンド部２６の撓み変位によって梁長さ切替部２７がランス撓み空間２４の対向面２４ａに当接した状態になると、それ以上に雌型端子金具１１の挿入を進めて図７に示す完全挿入状態にするには、図６の寸法ｄの分だけ、雌型端子金具１１の押し込みによって更にランス２３をランス撓み空間２４側に撓み変位させなければならない。
【００５５】
上記の寸法ｄの分だけランス２３をランス撓み空間２４側に撓み変位させる際には、ランス２３は梁長さがＬ２の両端支持梁として動作し、ランス２３を撓み変位させる際の操作力が、それ以前よりも急激に増加し、作業者に対して、操作フィーリングの変化を認識させる。
【００５６】
雌型端子金具１１の挿入が、正規の完全挿入位置に到達すると、図７に示すように、ランス２３及び可撓性バンド部２６の撓み変位が、雌型端子金具１１の挿入前の状態に戻る。
【００５７】
以上に説明した一実施形態のコネクタ１の場合、雌型端子金具１１の挿入開始時におけるランス２３は、弾性片２３ｂの基端側と可撓性バンド部２６の一端が連結されたコネクタハウジング２１の一端部であるハウジング前端２１ａとの２箇所でコネクタハウジング２１に固定されていて、図５に示すように、長さＬ１の両端支持梁としての支持状態となっている。
【００５８】
そして、雌型端子金具１１の挿入途中では、雌型端子金具１１の挿入に伴い、係止突起２３ａ側がランス撓み空間２４側に撓み変位する。そして、係止突起２３ａ側の撓み変位に伴い、可撓性バンド部２６もランス撓み空間２４側に撓み変位する。そして、雌型端子金具１１の挿入が更に進んで、可撓性バンド部２６の撓み変位が規定値に達すると、図５に示したように、可撓性バンド部２６上の梁長さ切替部２７がランス撓み空間２４の対向面２４ａに当接して、可撓性バンド部２６の撓み変位を規制する。
【００５９】
この状態では、ランス２３は、弾性片２３ｂの基端側と梁長さ切替部２７との２箇所を支持点とする長さＬ２の両端支持梁となり、梁の長さがＬ１からＬ２に短縮されたことで、撓み変位させる際の弾性係数が大きく変化し、作業者の操作フィーリングに変化を与える。
【００６０】
そのため、操作フィーリングの変化から雌型端子金具１１が一定の挿入長に達したという挿入状況を作業者に認識させて、作業者にその後の作業の遂行を意識させて、雌型端子金具１１の不完全挿入の発生を抑止することができる。
【００６１】
しかも、可撓性バンド部２６及び梁長さ切替部２７は、コネクタハウジング２１内に一体形成した部位であり、コネクタハウジング２１に組み付ける追加部品は不要である。
【００６２】
従って、追加部品を用いることなく、雌型端子金具１１の挿入途中で発生する操作フィーリングの変化から作業者に挿入状況を認識させて作業の遂行を意識させることができ、構成部品や組立工程の増加を招かずに雌型端子金具１１の不完全挿入の発生を抑止することができる。
【００６３】
なお、本発明は、上述した実施形態に限定されるものではなく、適宜、変形、改良、等が可能である。その他、上述した実施形態における各構成要素の材質、形状、寸法、数、配置箇所、等は本発明の目的を達成できるものであれば任意であり、限定されない。
【符号の説明】
【００６４】
１１  雌型端子金具
２１  コネクタハウジング
２１ａ  ハウジング前端（コネクタハウジングの一端部）
２２  端子収容孔
２３  ランス
２４  ランス撓み空間
２４ａ  対向面
２６  可撓性バンド部
２７  梁長さ切替部
４１  箱部
５１  ランス係止部
Ｔ１  当接位置
【図１】
2012084405.tif 000003
【図２】
2012084405.tif 000004
【図３】
2012084405.tif 000005
【図４】
2012084405.tif 000006
【図５】
2012084405.tif 000007
【図６】
2012084405.tif 000008
【図７】
2012084405.tif 000009
【図８】
2012084405.tif 000010